(57)【特許請求の範囲】
【請求項１】
吸気口と吹出口とを有した本体ケースと、前記本体ケース内には、空気浄化手段と、前記吸気口から前記空気浄化手段を介して前記吹出口までを連通する空気流路と、前記空気流路に前記吸気口から空気を送風する送風手段とを備え、前記空気浄化手段は、水を貯水するトレイと、前記トレイ内で水を電解水へ生成する電解ユニットと、中空円筒状にして回転可能に形成し前記電解水に一部が浸漬し、前記空気流路の吸気口側に配置した第一のフィルター部と、前記空気流路の吹出口側に配置した第二のフィルター部を有し、
前記第一のフィルター部は格子の間に水膜が形成されるフィルター部であり、
前記第二のフィルター部は編物の糸を形成する単繊維間に電解水を保持するフィルター部であり、前記二つのフィルター部が水面上では風上側から風下側へ向けて回転することを特徴とする空気浄化装置。
【発明の詳細な説明】
【技術分野】
【０００１】
本発明は、水に通電することにより得られる電解水を用いて、空気中の細菌、真菌、ウイルス、臭いなどの除去、つまり除菌、脱臭を行う空気浄化装置に関するものである。
【背景技術】
【０００２】
従来のこの種の空気浄化装置の構造は、以下のようになっていた。
【０００３】
すなわち、水を電気分解して電解水を生成させ、この電解水をフィルター部に供給し、空気と電解水を接触させ、空気中の細菌、ウイルス、臭気物質等の除去、つまり除菌、脱臭を図る構成となっていた（例えば下記特許文献１）。
【先行技術文献】
【特許文献】
【０００４】
【特許文献１】特開２０１２−０５２６９９号公報
【発明の概要】
【発明が解決しようとする課題】
【０００５】
この種の電解水を室内空気に接触させて、除菌、脱臭を行う空気浄化装置においては、その効果を高めることが求められる。そのためにフィルターを大きくするなど対策されているが、フィルター部材上に付着し堆積した細菌、ウイルス、臭気物質などの汚れの除去を目的とするメンテナンスの頻度や手間が増えることが課題である。
【０００６】
そこで、本発明は上記課題を解決するものであり、フィルター部のメンテナンス頻度を軽減し、除菌、脱臭効果を高めることができる空気浄化装置を提供することを目的としている。
【課題を解決するための手段】
【０００７】
そして、この目的を達成するために本発明は、吸気口と吹出口とを有した本体ケースと、前記本体ケース内には、空気浄化手段と、前記吸気口から前記空気浄化手段を介して前記吹出口までを連通する空気流路と、前記空気流路に前記吸気口から空気を送風する送風手段とを備え、前記空気浄化手段は、水を貯水するトレイと、前記トレイ内で水を電解水へ生成する電解ユニットと、中空円筒状にして回転可能に形成し前記電解水に一部が浸漬し、前記空気流路の吸気口側に配置した第一のフィルター部と、前記空気流路の吹出口側に配置した第二のフィルター部を有し、前記第一のフィルター部は格子の間に水膜が形成されるフィルター部であり、前記第二のフィルター部は編物の糸を形成する単繊維間に電解水を保持するフィルター部であり、前記二つのフィルター部が水面上では風上側から風下側へ向けて回転するものである。そして、これら手段により、初期の目的を達成するものである。
【発明の効果】
【０００８】
以上のように本発明は、細菌、ウイルス、臭気物質などの汚れの堆積はフィルター部材上で起こるため、第一のフィルター部が水膜を形成するフィルターであることで、汚れは水膜で保持され、フィルター部材上での付着を抑制できるので第一のフィルター部のメンテナンス頻度を低減できる。また第一のフィルターで汚れが捕捉されるため、第二のフィルター部での汚れの堆積を低減でき、第二のフィルター部のメンテナンス頻度も低減できるために、フィルター部全体でのメンテナンス頻度を低減できる。また、細菌、ウイルス、臭気物質などが第一のフィルター部、第二のフィルター部によって電解水と二回接触できるため除菌、脱臭効果を向上できる。
【図面の簡単な説明】
【０００９】
【図１】本発明の実施の形態１の空気浄化装置の概略図
【図２】同空気浄化装置の概略断面を示す図
【図３】同空気浄化装置のフィルター部の概略構成を示す図
【図４】同空気浄化装置の第一フィルター部の概略図
【図５】（ａ）同空気浄化装置の第二フィルター部の概略図、（ｂ）同空気浄化装置の第二フィルター部の拡大図
【発明を実施するための形態】
【００１０】
本発明の請求項１記載の空気浄化装置は、吸気口と吹出口とを有した本体ケースと、前記本体ケース内には、空気浄化手段と、前記吸気口から前記空気浄化手段を介して前記吹出口までを連通する空気流路と、前記空気流路に前記吸気口から空気を送風する送風手段とを備え、前記空気浄化手段は、水を貯水するトレイと、前記トレイ内で水を電解水へ生成する電解ユニットと、中空円筒状にして回転可能に形成し前記電解水に一部が浸漬し、前記空気流路の吸気口側に配置した第一のフィルター部と、前記空気流路の吹出口側に配置した第二のフィルター部を有し、前記第一のフィルター部は格子の間に水膜が形成されるフィルター部であり、前記第二のフィルター部は編物の糸を形成する単繊維間に電解水を保持するフィルター部であり、前記二つのフィルター部が水面上では風上側から風下側へ向けて回転することを特徴とする。
【００１１】
これにより、細菌、ウイルス、臭気物質などの汚れの堆積はフィルター部材上で起こるため、第一のフィルター部が水膜を形成するフィルターであることで、汚れは水膜で保持され、フィルター部材上での付着を抑制できるので第一のフィルター部のメンテナンス頻度を低減できる。また第一のフィルター部で汚れを有る程度捕捉されるため、第二のフィルター部での汚れの堆積を低減でき、第二のフィルター部のメンテナンス頻度も低減できるために、フィルター部全体でのメンテナンス頻度を低減できる。また、細菌、ウイルス、臭気物質などが第一のフィルター部と第二のフィルター部によって電解水と二回接触できるため除菌、脱臭効果を向上できる効果を奏する。
【００１２】
以下、本発明の実施の形態について図面を参照しながら説明する。
【００１３】
（実施の形態１）
図１に示すように、本実施の形態の空気浄化装置においては、略箱形状の本体ケース１を備えている。本体ケース１の両側面には、略四角形状の吸気口２を設け、また本体ケース１の天面には、略四角形状の吹出口３を設けている。
【００１４】
図２に示すように、この本体ケース１内には、送風手段４と空気浄化手段５を備えている。
【００１５】
送風手段４は、本体ケース１の上部に設けられ、モータとモータにより回転する羽根車とそれらを囲むケースとから構成されるいわゆるシロッコファンとして形成されている。
【００１６】
空気浄化手段５は、水を貯水するトレイ６と、トレイ６に水を供給する給水タンク７と、トレイ６内の水で電解水を生成する電解ユニット８と、トレイ６内の電解水に一部を浸漬した第一のフィルター部９ａ、第二のフィルター部９ｂとから形成されている。
【００１７】
トレイ６は、天面を開口した箱形状をしており、水を貯水できる構造となっており、本体ケース１の下部に配置され、本体ケース１から水平方向にスライドして着脱可能となっている。
【００１８】
給水タンク７は本体ケース１内部の正面側に、トレイ６に内蔵される形で設置され、トレイ６から着脱可能な構造となっている。
【００１９】
給水タンク７はキャップにより密閉できる構造となっているが、トレイ６に給水タンク７を設置すると、キャップに設けられた水栓が解放され、水がトレイ６に供給される構造となっている。水面が水栓まで上昇してくると、水面により給水タンク７が密閉され、水の供給が停止し、常に一定量の水を供給することができる。
【００２０】
電解ユニット８は、複数枚の電極板で構成されており、この電極板がトレイ６内の水に浸かるように設置され、これらの電極に通電することによりトレイ６内の塩化物イオンを含む水を電気化学的に電気分解することにより、電解水を生成させる。塩化物イオンを含む水は、例えば、水道水に塩化ナトリウムを溶解させた水を用いることができる。
【００２１】
第一のフィルター部９ａ、第二のフィルター部９ｂは、トレイ６において電解ユニット８により生成された電解水と、送風手段４によって本体ケース１内に吸込まれた室内空気とを接触させる部材である。第一のフィルター部９ａ、第二のフィルター部９ｂは、中空円筒状に構成され、円筒部分に空気が流通可能な孔を備えており、その円筒の一部がトレイ６の電解水に浸漬するように、トレイ６に回転自在に内蔵されている。
【００２２】
そして、図３に示すように、空気流路には吸気口２からフィルター部９、送風手段４、吹出口３があり、空気流路内の吸気口２側に第一のフィルター部９ａ、吹出口３側に第二のフィルター部９ｂが設置され、また駆動部１０による回転がされ、電解水と室内空気を連続的に接触させる構造となっている。
【００２３】
また、第一のフィルター部９ａ、第二のフィルター部９ｂの回転方向は、水面上では、風上から風下へ向けて回転するようにしている。
【００２４】
図４に示すように、第一のフィルター部９ａは、網状の格子１１を備えており、第一のフィルター部９ａが電解水中から空気中に移動する際に網状の格子１１に水膜が形成される。ただし、格子１１に限らず水膜を形成することができる多孔体または網でも良い。
【００２５】
図５（ａ）は第二のフィルター部９ｂを示しており、（ｂ）は第二のフィルター部９ｂの拡大図である。第二のフィルター部９ｂは単繊維１２の集まりである糸１３を編んだ編物であり、その単繊維１２間に電解水を保持できる。
【００２６】
なお、第一のフィルター部９ａ、第二のフィルター部９ｂを構成する材料としては、セルロース等の紙や木質素材をコルゲート形状に加工したもの、絹・毛・綿・麻等の天然繊維、レーヨン・アセテート・トリアセテート等の合成繊維をコルゲート状にしたもの、セラミックスハニカムなどを用いることができる。たとえば合成繊維ではポリオレフィン、ポリエステル、アクリル、ナイロン、ビニロン、レーヨン、ポリノジック、キュプラ、アセテート、トリアセテート、プロミックスなどが挙げられる。天然繊維としては、絹、毛、綿、麻などが挙げられる。ポリ酢酸ビニル、ポリビニルアルコールスポンジ、ナイロンマイクロファイバーなどを用いても良い。セルロース等の紙や木質素材、絹・毛・綿・麻等の天然繊維、レーヨン・アセテート・トリアセテート等の合成繊維、セラミックスを用いてもよい。またポリオレフィン系樹脂（ポリエチレン樹脂、ポリプロピレン樹脂等）、ＰＥＴ（ポリエチレン・テレフタラート樹脂）、ポリアミド系樹脂、塩化ビニル樹脂、フッ素系樹脂（ＰＴＦＥ、ＰＦＡ、ＥＴＦＥ等）、セルロース系材料又はセラミック系材料等が使用され、本実施例では、第一のフィルター部９ａの材質は、水膜が形成されやすいポリプロピレン、第二のフィルター部９ｂの材質は電解水への耐性が強いポリエステルが採用される。
【００２７】
以上の構成において、空気浄化装置の動作を説明する。
【００２８】
給水タンク７により水道水がトレイ６に供給される。このときユーザーにより、塩化ナトリウムが同時にトレイ６に投入される。塩化物イオンを含んだ水に対して、電解ユニット８により通電され、電気分解して、活性酸素種を含む電解水を生成する。
【００２９】
ここで、活性酸素種とは、通常の酸素よりも高い酸化活性を持つ酸素分子と、その関連物質のことであり、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素を含むものである。
【００３０】
第一のフィルター部９ａ、第二のフィルター部９ｂは回転することにより電解水を浸漬し保持することができる。第一のフィルター部９ａの電解水へ浸漬していた部分では回転に伴い、水膜を形成した状態で電解水より空中へ出てくる。第二のフィルター部９ｂの電解水へ浸漬していた部分では単繊維１２間に電解水を保持した状態で電解水より空中へ出てくる。
【００３１】
そして室内空気は、送風手段４が空気流路に吸気口２から送風することにより、本体ケース１内に吸込まれて空気浄化手段を通過する。
【００３２】
その際、本体ケース１内に吸込まれた室内空気に含まれる細菌、真菌（カビ）、ウイルス、臭気物質などは、第一のフィルター部９ａでは、水膜上で主に接触、捕捉され、除菌・脱臭される。また第二のフィルター部９ｂでは、単繊維１２間に保持された電解水と接触し除菌・脱臭されることで、浄化された空気が吹出口３から室内に供給されることになる。
【００３３】
室内空気通過後の第一のフィルター部９ａ、第二のフィルター部９ｂは回転に伴い空気中から再度電解水中へ入り、第一のフィルター部９ａは新鮮な電解水で水膜を形成し、第二のフィルター部９ｂは単繊維１２間に新鮮な電解水を保持し、空気中へ出て行く。
【００３４】
細菌、ウイルス、臭気物質などの汚れの堆積はフィルター部材上で起こるため、第一のフィルター部９ａが水膜を形成するフィルターであることで、汚れは水膜で保持され、フィルター部材上での付着を抑制できるので第一のフィルター部９ａのメンテナンス頻度を低減できる。また第一のフィルター部９ａで汚れを捕捉できるため、第二のフィルター部９ｂでの汚れの堆積を低減でき、第二のフィルター部９ｂのメンテナンス頻度も低減できることで、フィルター部全体でのメンテナンス頻度を低減できる。また、細菌、ウイルス、臭気物質などが第一のフィルター部９ａ、第二のフィルター部９ｂによって電解水と二回接触できるため除菌、脱臭効果を向上できる効果を奏する。
【００３５】
また、第一のフィルター部９ａの格子の辺の長さは１０ｍｍ以下が好ましい。電解水の張力を考慮すると、水膜形状を維持できる限界だからである。
【００３６】
また、第一のフィルター部９ａの多孔体、格子形状は円、三角形、四角形、六角形など考えられるが、正六角形が好ましい。水膜と格子１１間において張力、斥力が生じるが、その釣り合いがよいためである。
【００３７】
また、第一のフィルター部９ａ、第二のフィルター部９ｂの回転方向が空気流路の下流側から電解水の中に入り、空気流路の上流側に移動する方向とすることが好ましい。このような構成により、吸い込まれた室内空気がまず、新鮮な電解水を多く含んだフィルター部に導入されることにより、除菌・脱臭効果を高めることができる。
【００３８】
以上のように、本実施例によれば、フィルターのメンテナンス頻度を軽減しつつ、除菌、脱臭性能を高めることができる空気浄化装置を簡単な構成で提供することができる。
【産業上の利用可能性】
【００３９】
家庭用や事務用、公共空間などの、除菌・脱臭などの空気浄化装置としての活用が期待されるものである。
【符号の説明】
【００４０】
１        本体ケース
２        吸気口
３        吹出口
４        送風手段
５        空気浄化手段
６        トレイ
７        給水タンク
８        電解ユニット
９ａ      第一のフィルター部
９ｂ      第二のフィルター部
１０      駆動部
１１      格子
１２      単繊維
１３      糸
【図１】
0006620305.tif 000002
【図２】
0006620305.tif 000003
【図３】
0006620305.tif 000004
【図４】
0006620305.tif 000005
【図５】
0006620305.tif 000006